(57)【要約】【課題】天井面に吊り下げられたパイプとモータ側に設けたシャフトとを連結する連結部分に磨耗が生じて、不安全状態に近づいた場合においても、不安全状態を検出して自動的に停止できる天井扇風機の安全装置を提供することを目的とする。【解決手段】モータ２の上部に突出したシャフト３の上端に接続して吊り下げるパイプ６と、パイプ６とシャフト３にそれぞれ設けた貫通孔７を介して連結する連結ボルト８と、シャフト３側に設けた安全スイッチ１１の接点を閉じるためにパイプ６に設けた操作レバー１２とを設け、貫通孔７の孔径が磨耗拡大した場合にパイプ６とシャフト３の相対的な回動範囲の増加に対応して操作レバー１２により安全スイッチ１１の接点を開放することにより、自動的に不安全状態を回避することのできる天井扇風機の安全装置を得られる。【選択図】図１
2008121551.tif 000002
【特許請求の範囲】
【請求項１】
水平方向に付設した複数のブレードを回転するモータと、そのモータの上部に突出したシャフトと、このシャフトの上端に接続して天井面に吊り下げるためのパイプと、このパイプと前記シャフトにそれぞれ設けた貫通孔を介して連結する連結ボルトと、前記シャフト側に設けた安全スイッチと、この安全スイッチの接点を閉じるために前記パイプに設けた操作レバーとを備え、前記貫通孔の孔径が磨耗拡大した場合に、前記パイプと前記シャフトの相対的な回動範囲の増加に対応して前記操作レバーが移動し、前記安全スイッチの接点を開放可能とした天井扇風機の安全装置。
【請求項２】
モータの上部に設けたモータカバーと、このモータカバー内に設けた安全スイッチと、この安全スイッチの操作ボタンと、前記モータカバーの上面に形成した開口部とを備え、前記開口部を通して操作レバーが前記安全スイッチの操作ボタンを操作可能とした請求項１記載の天井扇風機の安全装置。
【請求項３】
モータカバーの上面に形成した開口部を、モータのシャフトを中心として操作レバーの移動する円周方向に、開口範囲を延設した請求項２記載の天井扇風機の安全装置。
【請求項４】
安全スイッチの操作ボタンの上端部を、モータカバーの開口部の上面より下方に位置させた請求項２記載の天井扇風機の安全装置。
【請求項５】
操作レバーを、パイプに固定する固定部と、この固定部から斜め下方に延設する腕部を設けて形成した請求項２記載の天井扇風機の安全装置。
【請求項６】
天井面に一端を固定した落下防止用の安全ワイヤーと、この安全ワイヤーの他端に設けられるワイヤー固定部とを備え、前記ワイヤー固定部を操作レバーの内側に位置するシャフト面に固定した請求項２または５記載の天井扇風機の安全装置。
【請求項７】
連結ボルトの頭部の下面形状を、パイプの外面に沿わせて、断面が円弧形状の曲面とした請求項１記載の天井扇風機の安全装置。
【請求項８】
連結ボルトの頭部を横長形状に形成し、前記頭部の下端部または両端部をＲ形状に形成した請求項７記載の天井扇風機の安全装置。
【発明の詳細な説明】
【技術分野】
【０００１】
本発明は、ブレードを回転するモータの上部に突出したシャフトと、天井面に吊り下げられたパイプに連結して形成される天井扇風機の安全装置に関する。
【背景技術】
【０００２】
従来、この種の天井扇風機の安全装置の一例として取り付けねじがゆるんだときに警報装置により知らせる天井扇風機の安全装置が知られている（例えば、特許文献１参照）。
【０００３】
以下、その天井扇風機の安全装置について図１１を参照にしながら説明する。
【０００４】
図に示すように、天井扇風機の中心を貫通するパイプ１０１は、半球状のフランジ１０２を介して取付金具１０３に吊り下げられ、取付金具１０３は天井面に木ねじ１０４で取り付けられる取付板１０５に結合ねじ１０６により取り付けられ、取付金具１０３にはマイクロスイッチ１０７を設け、マイクロスイッチ１０７のアクチュエータ１０８を天井面に当接させて構成している。
【特許文献１】特許第３０３２３２５号公報（［００１０］［００１１］図１）
【発明の開示】
【発明が解決しようとする課題】
【０００５】
このような従来の天井扇風機では、取付板１０５を取り付けている木ねじ１０４または取付板１０５に取付金具１０３を取り付ける結合ねじ１０６のゆるみが発生したときに、マイクロスイッチ１０７を介して警報装置等を作動して安全性を高めるものであって、天井扇風機の構造がモータ側に設けたシャフトと天井から吊り下げられたパイプを、貫通孔を介して連結ボルトにより連結する場合には、連結ボルトの貫通孔が経年変化等により磨耗して拡大することが生じ、不安全状態になるという課題があり、安全性を高めることが要求されている。
【０００６】
本発明は上記課題を解決するもので、天井面に吊り下げられたパイプとモータ側に設けたシャフトを連結する連結部分に磨耗が生じた場合においても、不安全状態を自動的に回避できる天井扇風機の安全装置を提供することを目的としている。
【課題を解決するための手段】
【０００７】
本発明の天井扇風機の安全装置は上記目的を達成するために、水平方向に付設した複数のブレードを回転するモータと、このモータの上部に突出したシャフトと、このシャフトの上端に接続して天井面に吊り下げるためのパイプと、このパイプと前記シャフトにそれぞれ設けた貫通孔を介して連結する連結ボルトと、前記シャフト側に設けた安全スイッチと、この安全スイッチの接点を閉じるために前記パイプに設けた操作レバーとを備え、前記貫通孔の孔径が磨耗拡大した場合に、前記パイプと前記シャフトの相対的な回動範囲の増加に対応して前記操作レバーが移動し、前記安全スイッチの接点を開放可能としたものである。
【０００８】
この手段により、不安全状態を即座に自動的に回避することができるとともに、電源を再投入してもオン状態にならないことから、モータの吊り下げが正常状態でないことを使用者に知らしめることができる天井扇風機の安全装置が得られる。
【０００９】
また、他の手段は、モータの上部に設けたモータカバーと、このモータカバー内に設けた安全スイッチと、この安全スイッチの操作ボタンと、前記モータカバーの上面に形成した開口部とを備え、前記開口部を通して操作カバーが前記安全スイッチの操作ボタンを操作可能としたものである。
【００１０】
この手段により、人手による不用意な操作を防ぎ、安全スイッチに不安全な加工が施されないようにすることができる天井扇風機の安全装置が得られる。
【００１１】
また、他の手段は、モータカバーの上面に形成した開口部を、モータのシャフトを中心として操作レバーの移動する円周方向に、開口範囲を延設したものである。
【００１２】
この手段により、危険状態に近づいたときに安全スイッチを確実に操作してモータへの通電を停止することができる天井扇風機の安全装置が得られる。
【００１３】
また、他の手段は、安全スイッチの操作ボタンの上端部を、モータカバーの開口部の上面より下方に位置させたものである。
【００１４】
この手段により、故意に操作ボタンを操作されないようにして、シャフトとパイプの連結が不安全状態のまま使用されることを防ぐことができる天井扇風機の安全装置が得られる。
【００１５】
また、他の手段は、操作レバーを、パイプに固定する固定部と、この固定部から斜め下方に延設する腕部を設けて形成したものである。
【００１６】
この手段により、安全スイッチを確実に操作できる寸法関係とすることができる天井扇風機の安全装置が得られる。
【００１７】
また、他の手段は、天井面に一端を固定した落下防止用の安全ワイヤーと、この安全ワイヤーの他端に設けられるワイヤー固定部とを備え、前記ワイヤー固定部を操作レバーの内側に位置するシャフト面に固定したものである。
【００１８】
この手段により、モータ等からなる本体を設置するときに簡単に取り外されることなく、施工業者に安全ワイヤーを使用した設置作業を促すことができる天井扇風機の安全装置が得られる。
【００１９】
また、他の手段は、連結ボルトの頭部の下面形状を、パイプの外面に沿わせて断面が円弧形状の曲面としたものである。
【００２０】
この手段により、天井付近の高所における施工性が向上できるとともに、連結ボルトが頭部の裏面でパイプ表面に密着して固定されるので、連結ボルトの回り止めや緩み止めが確実に行え、安全性を高めることができる。
【００２１】
また、他の手段は、連結ボルトの頭部を横長形状に形成し、前記頭部の下端部または両端部をＲ形状に形成したものである。
【００２２】
この手段により、連結ボルトが正常な位置に確実に締め付けることができ、信頼性および作業性を高めることができる天井扇風機の安全装置が得られる。
【発明の効果】
【００２３】
本発明によれば、不安全状態を即座に自動的に回避することができるとともに、電源を再投入してもオン状態にならないことから、本体の吊り下げが正常状態でないことを使用者に知らしめることができるという効果のある天井扇風機の安全装置を提供できる。
【００２４】
また、人手による不用意な操作を防ぎ、安全スイッチに不安全な加工が施されないようにすることができるという効果のある天井扇風機の安全装置を提供できる。
【００２５】
また、危険状態に近づいたときに安全スイッチを確実に操作してモータへの通電を停止することができるという効果のある天井扇風機の安全装置を提供できる。
【００２６】
また、故意に操作ボタンを操作されないようにして、シャフトとパイプの連結が不安全状態のまま再使用されることを防ぐことができるという効果のある天井扇風機の安全装置を提供できる。
【００２７】
また、安全スイッチを確実に操作できる寸法関係とすることができるという効果のある天井扇風機の安全装置を提供できる。
【００２８】
また、本体を設置するときに、簡単に取り外されることなく、施工業者に安全ワイヤーを使用した設置作業を促すことができるという効果のある天井扇風機を提供できる。
【００２９】
また、天井付近の高所における施工性が向上できるとともに、連結ボルトが頭部の裏面でパイプ表面に密着して固定されるので、連結ボルトの回り止めや緩み止めが確実に行なえ、安全性を高めることができるという効果のある天井扇風機の安全装置を提供できる。
【００３０】
また、連結ボルトを正常な位置に確実に締め付けることができ、信頼性および作業性を高めることができるという効果のある天井扇風機の安全装置を提供できる。
【発明を実施するための最良の形態】
【００３１】
本発明の請求項１記載の発明は、水平方向に付設した複数のブレードを回転するモータと、このモータの上部に突出したシャフトと、このシャフトの上端に接続して天井面に吊り下げるためのパイプと、このパイプと前記シャフトにそれぞれ設けた貫通孔を介して連結する連結ボルトと、前記シャフト側に設けた安全スイッチと、この安全スイッチの接点を閉じるために前記パイプに設けた操作レバーとを備え、前記貫通孔の孔径が磨耗拡大した場合に、前記パイプと前記シャフトの相対的な回動範囲の増加に対応して前記操作レバーが移動し、前記安全スイッチの接点を開放可能としたものであり、通常使用時はパイプに備えられた操作レバーにより、安全スイッチが閉じられた状態で、商用電源と接続して運転可能となるが、シャフトとパイプを連結する連結ボルトの締付力が弱いと、天井扇風機の運転停止を繰り返す過程で、経年変化により連結部にガタが発生し、連結ボルトが貫通するシャフトの連結ボルトの貫通孔が磨耗により孔径が拡大する。しかし、パイプとシャフトの相対的な回動範囲の増加に対応して操作レバーが移動し、安全スイッチの接点を開放することができ、モータの通電を停止することができるため、不安全状態を即座に自動的に回避することができるとともに、電源を再投入してもオン状態にならないことから本体の吊り下げが正常状態でないことを使用者に知らしめることができるという作用を有する。
【００３２】
また、本発明の請求項２記載の発明は、モータの上部に設けたモータカバーと、このモータカバー内に設けた安全スイッチと、この安全スイッチの操作ボタンと、前記モータカバーの上面に形成した開口部とを備え、前記開口部を通して操作レバーが前記安全スイッチの操作ボタンを操作可能としたものであり、モータカバーに安全スイッチを収納して、安全スイッチ自体を保護するとともに、開口部を通してパイプに固定した操作レバーが安全スイッチの操作ボタンを操作できるようにすることで、人手による不用意な操作を防ぎ、安全スイッチに不安全な加工が施されないようにすることができるという作用を有する。
【００３３】
また、本発明の請求項３記載の発明は、モータカバーの上面に形成した開口部を、モータのシャフトを中心として操作レバーの移動する円周方向に、開口範囲を延設したものであり、経年変化で貫通孔の孔径が磨耗拡大すると、パイプに対してシャフトが相対的に回動範囲が増加して、パイプに付設された操作レバーも開口部内に移動するが、操作レバーはパイプを中心に円周方向に回動するため、開口部も円周方向に開口範囲を拡大することにより、操作レバーの移動範囲に対応した形状とすることができ、危険状態に近づいたときに安全スイッチを確実に操作してモータへの通電を停止することができるという作用を有する。
【００３４】
また、本発明の請求項４記載の発明は、安全スイッチの操作ボタンの上端部を、モータカバーの開口部の上面より下方に位置させたものであり、操作レバーが移動して安全スイッチが自動的に開放状態となったときに、安全スイッチの操作ボタンがモータカバーの開口部の内側にあるので、操作ボタンを指などで無理に押すことが難しくなり、モータが停止したあとも、故意に操作ボタンを操作されないようにして、シャフトとパイプの連結が不安全状態のまま再使用されることを防ぐことができるという作用を有する。
【００３５】
また、本発明の請求項５記載の発明は、操作レバーを、パイプに固定する固定部と、この固定部から斜め下方に延設する腕部を設けて形成したものであり、腕部がパイプに固定する固定部から斜め下方に延設することにより、モータカバー内に設けた安全スイッチを、開口部を介して操作可能とするとともに、パイプとシャフトとの相対的な角度変化を、腕部の円周方向の移動変化に変換して、安全スイッチを確実に操作できる寸法関係とすることができるという作用を有する。
【００３６】
また、本発明の請求項６記載の発明は、天井面に一端を固定した落下防止用の安全ワイヤーと、この安全ワイヤーの他端に設けられるワイヤー固定部とを備え、前記ワイヤー固定部を操作レバーの内側に位置するシャフト面に固定したものであり、安全ワイヤーのワイヤー固定部がシャフトに固定される位置を、操作レバーの腕部の内側に設定することにより、ワイヤー固定部が操作レバーの腕部に覆われた状態で固定されるため、ワイヤー固定部は操作レバーを外さない限りは簡単には取り外すことができない。したがって工場出荷時に安全ワイヤーのワイヤー固定部を操作レバーの腕部の内側に固定することで、本体を設置するときに簡単に取り外されることなく、施工業者に安全ワイヤーを使用した設置作業を促すことができるという作用を有する。
【００３７】
また、本発明の請求項７記載の発明は、連結ボルトの頭部の下面形状をパイプの外面に沿わせて、断面が円弧形状の曲面としたものであり、シャフトの端部をパイプの端部に挿入し、それぞれの貫通孔に連結ボルトを通し、ナットを螺合して締め付けるときに、連結ボルトの頭部がパイプ外面の曲面に沿うように係合するため、連結ボルトの頭部の支持が不要になり、スパナなど締め付け工具の使用がナット側のみでできるため、天井付近の高所における施工性が向上できるとともに、連結ボルトが頭部の裏面でパイプ表面に密着して固定されるので、連結ボルトの回り止めや緩み止めが確実に行なえ、安全性を高めることができるという作用を有する。
【００３８】
また、請求項８記載の発明は、連結ボルトの頭部を横長形状に形成し、前記頭部の下端部または両端部をＲ形状に形成したものであり、連結ボルトを締め付け時に、連結ボルトの頭部の両端が最初にパイプ表面に接触しても、頭部の下端部または両端部をＲ形状としているので、パイプ表面とは曲面間の接触となり、連結ボルトの頭部が自然にパイプ曲面に沿う方向に回転して、正常な位置に確実に締め付けることができ、信頼性および作業性を高めることができるという作用を有する。
【００３９】
以下、本発明の実施の形態について図面を参照しながら説明する。
【００４０】
（実施の形態１）
図１〜図６に示すように、水平方向に付設した複数のブレード１を回転するモータ２と、モータ２の上部に突出したシャフト３と、シャフト３の上端に接続して天井面４に吊り下げ具５を介して吊り下げるためのパイプ６と、パイプ６とシャフト３にそれぞれ設けられる貫通孔７を介して連結する連結ボルト８および連結ボルト８に螺合して締め付けるナット９と、モータ２の上部に設けたモータカバー１０と、モータカバー１０内のシャフト３側に設けた安全スイッチ１１と、安全スイッチ１１の接点を閉じるためにパイプ６に設けた操作レバー１２とを備え、貫通孔７の孔径が磨耗拡大した場合に、パイプ６とシャフト３の相対的な回動範囲の増加に対応して操作レバー１２が移動し、安全スイッチ１１の接点を開放可能に設ける。
【００４１】
また、安全スイッチ１１に操作ボタン１３を設け、モータカバー１０の上面に開口部１４を形成し、開口部１４を通して操作レバー１２が安全スイッチ１１の操作ボタン１３を操作可能に設け、モータカバー１０の上面に設けられる開口部１４をモータ２のシャフト３を中心として操作レバー１２の移動する円周方向に開口範囲を延設し、操作ボタン１３の上端部をモータカバー１０の開口部１４の上面より下方に位置するように設け、操作レバー１２を、パイプ６に固定する固定部１５と、固定部１５から斜め下方に延設する腕部１６を設け形成する。
【００４２】
また、天井面４に一端を固定した落下防止用の安全ワイヤー１７と、安全ワイヤー１７の他端に設けられるワイヤー固定部１８とを設け、ワイヤー固定部１８を操作レバー１２の内側に位置するシャフト３面に固定し、シャフト３側に設けた安全スイッチ１１と操作レバー１２およびシャフト３とパイプ６の連結部分等全体をキャノピー１９により覆い構成する。
【００４３】
上記構成において、水平方向に付設した複数のブレード１を回転するモータ２と、モータ２の上部に突出したシャフト３と、シャフト３の上端に接続して天井面４に吊り下げるためのパイプ６と、パイプ６とシャフト３にそれぞれ設けた貫通孔７を介して連結する連結ボルト８と、シャフト３側に設けた安全スイッチ１１と、安全スイッチ１１の接点を閉じるためにパイプ６に設けた操作レバー１２とを備え、貫通孔７の孔径が磨耗拡大した場合に、パイプ６とシャフト３の相対的な回転範囲の増加に対応して操作レバー１２が移動し、安全スイッチ１１の接点を開放可能としたので、通常使用時は、パイプ６に備えられた操作レバー１２により、安全スイッチ１１が閉じられた状態で商用電源と接続して運転可能となる。
【００４４】
しかしシャフト３とパイプ６を連結する連結ボルト８の締付力が不充分な場合は、天井扇風機の運転停止を繰り返す過程で経年変化により連結部にガタが発生し、シャフト３の連結ボルト８の貫通孔７が磨耗により孔径が拡大する。このとき、パイプ６とシャフト３の相対的な回動範囲の増加に対応して、操作レバー１２が移動して安全スイッチ１１の接点を開放することができ、モータ２の通電を停止することができるため、不安全状態を即座に自動的に回避することができるとともに、電源を再投入してもオン状態にならないことから、本体の吊り下げが正常状態でないことを使用者に知らしめることができることとなる。
【００４５】
また、モータ２の上部に設けたモータカバー１０と、モータカバー１０内に設けた安全スイッチ１１と、安全スイッチ１１の操作ボタン１３と、モータカバー１０の上面に形成した開口部１４とを備え、開口部１４を通して操作レバー１２が安全スイッチ１１の操作ボタン１３を操作可能としたので、モータカバー１０に安全スイッチ１１を収納して、安全スイッチ１１自体を保護するとともに、開口部１４を通してパイプ６に固定した操作レバー１２が安全のスイッチ１１の操作ボタン１３を操作できるようにすることで、人手による不用意な操作を防ぎ、安全スイッチ１１に不安全な加工が施されないようにすることができることとなる。
【００４６】
また、モータカバー１０の上面に形成した開口部１４を、モータ２のシャフト３を中心として操作レバー１２の移動する円周方向に、開口範囲を延設したものであり、経年変化で貫通孔７の孔径が磨耗拡大すると、パイプ６に対してシャフト３が相対的に回動範囲が増加して、パイプ６に付設された操作レバー１２も開口部１４内に移動するが、操作レバー１２はパイプ６を中心に円周方向に回動するため、開口部１４も円周方向に開口範囲を拡大することにより、操作レバー１２の移動範囲に対応した形状とすることができ、危険状態に近づいたときに安全スイッチ１１を確実に操作してモータ２への通電を停止することができることとなる。
【００４７】
また、安全スイッチ１１の操作ボタン１３の上端部を、モータカバー１０の開口部１４の上面より下方に位置させたので、操作レバー１２が移動して安全スイッチ１１が自動的に開放状態となったときに、安全スイッチ１１の操作ボタン１３がモータカバー１０の開口部１４の内側にあるので、操作ボタン１３を指などで無理に押すことが難しくなり、モータ２が停止したあとも、故意に操作ボタン１３を操作されないようにして、シャフト３とパイプ６の連結が不安全状態のまま再使用されることを防ぐことができることとなる。
【００４８】
また、操作レバー１２をパイプ６に固定する固定部１５と、固定部１５から斜め下方に延設する腕部１６を形成したので、腕部１６がパイプ６に固定する固定部１５から斜め下方に延設することにより、モータカバー１０内に設けた安全スイッチ１１を、開口部１４を介して操作可能とするとともに、パイプ６とシャフト３との相対的な角度変化を腕部１６の円周方向の移動変化に変換して、安全スイッチ１１を確実に操作できる寸法関係とすることができることとなる。
【００４９】
また、天井面４に一端を固定した落下防止用の安全ワイヤー１７と、安全ワイヤー１７の他端に設けられるワイヤー固定部１８とを備え、ワイヤー固定部１８を操作レバー１２の内側に位置するシャフト３面に固定したので、安全ワイヤー１７のワイヤー固定部１８をシャフト３に固定する位置を、操作レバー１２の腕部１６の内側に設定できることにより、ワイヤー固定部１８は、操作レバー１２を外さない限りは簡単に取り外すことができない。したがって工場出荷時に安全ワイヤー１７のワイヤー固定部１８を操作レバー１２の腕部１６の内側に固定することで、本体を設置するときに簡単に取り外されることなく、施工業者に安全ワイヤー１７を使用した設置作業を促すことができることとなる。
【００５０】
（実施の形態２）
図７および図８に示すように、連結ボルト８Ａの頭部２０の下面形状をパイプ６Ａの外面２１に沿わせて、断面が円弧形状の曲面２２とし、連結ボルト８Ａは平ワッシャ２３とスプリングワッシャ２４を介してナット９Ａを螺合して設け、連結ボルト８Ａにはナット９Ａが抜け落ちないように、ピン挿入孔２５を形成し、ピン（図示せず）を挿入して設け構成する。
【００５１】
上記構成において、連結ボルト８Ａの頭部２０の下面形状をパイプ６Ａの外面２１に沿うように断面が円弧形状の曲面２２としたので、シャフト３の端部をパイプ６Ａの端部に挿入し、それぞれの貫通孔７に連結ボルト８Ａを通しナット９Ａを螺合して締め付けるときに連結ボルト８Ａの頭部２０に設けた曲面２２がパイプ６Ａの外面２１に沿うように係合するため連結ボルト８Ａの頭部２０の支持が不要となり、スパナなどの締め付け工具の使用がナット９Ａ側のみでできることとなり、天井付近の高所における施工性が向上できるとともに、連結ボルト８Ａの頭部２０の裏面に設けた曲面２２がパイプ６Ａの外面２１に密着して固定されるので、連結ボルト８Ａの回り止めや緩み止めが確実に行なえ、安全性を高めることができることとなる。
【００５２】
（実施の形態３）
図９および図１０に示すように、連結ボルト８Ｂの頭部２０Ａを横長形状に形成し、頭部２０Ａの下面形状をパイプ６Ｂの外面２１に沿うように、断面が円弧形状の曲面２２Ａとし、頭部２０Ａの下端部または両端部をＲ形状２６に形成し構成する。
【００５３】
上記構成においては、連結ボルト８Ｂを締め付けたときに、連結ボルト８Ｂの頭部２０Ａの下面側が最初にパイプ６Ｂの表面に接触しても、頭部２０Ａの下端部または両端部をＲ形状２６としているので、パイプ６Ｂの外面２１とは曲面間の不安定な接触となり、連結ボルト８Ｂの頭部２０Ａが自然にパイプ６Ｂの外面２１に沿う方向に回転して、頭部２０Ａの曲面２２Ａがパイプ６Ｂの外面２１に重なり合い、正常な位置に確実に締め付けることができ、信頼性および作業性を高めることができることとなる。
【産業上の利用可能性】
【００５４】
本発明にかかる天井扇風機の安全装置は、不安全状態を即座に自動的に回避することができるとともに、電源を再投入してもオン状態にならないことから、本体の吊り下げが正常状態でないことを使用者に知らしめることができるという効果を有し、ブレードを回転するモータの上部に突出したシャフトと、天井面に吊り下げられたパイプに連結して形成される天井扇風機の安全装置等として有用である。
【図面の簡単な説明】
【００５５】
【図１】本発明の実施の形態１の天井扇風機の安全装置を示す断面図
【図２】同天井扇風機の安全装置の貫通孔と連結ボルト部分を示す断面図
【図３】同天井扇風機の安全装置の要部拡大断面図
【図４】同天井扇風機の安全装置の安全スイッチと開口部の関係を示す上面図
【図５】同天井扇風機の安全装置の開口部と操作レバーの関係を示す斜視図
【図６】同天井扇風機の安全装置の回路図
【図７】本発明の実施の形態２の天井扇風機の安全装置の連結ボルトとパイプとの関係を示す断面図
【図８】同天井扇風機の安全装置の連結ボルトの取付状態を示す正面図
【図９】本発明の実施の形態３の天井扇風機の安全装置の連結ボルトとパイプとの関係を示す断面図
【図１０】同天井扇風機の安全装置の連結ボルトの取付状態を示す正面図
【図１１】従来の天井扇風機の安全装置の断面図
【符号の説明】
【００５６】
１      ブレード
２      モータ
３      シャフト
４      天井面
６      パイプ
６Ａ    パイプ
７      貫通孔
８      連結ボルト
８Ａ    連結ボルト
８Ｂ    連結ボルト
１０    モータカバー
１１    安全スイッチ
１２    操作レバー
１３    操作ボタン
１４    開口部
１５    固定部
１６    腕部
１７    安全ワイヤー
１８    ワイヤー固定部
２０    頭部
２０Ａ  頭部
２１    外面
２２    曲面
２６    Ｒ形状
【図１】
2008121551.tif 000003
【図２】
2008121551.tif 000004
【図３】
2008121551.tif 000005
【図４】
2008121551.tif 000006
【図５】
2008121551.tif 000007
【図６】
2008121551.tif 000008
【図７】
2008121551.tif 000009
【図８】
2008121551.tif 000010
【図９】
2008121551.tif 000011
【図１０】
2008121551.tif 000012
【図１１】
2008121551.tif 000013